(57)【要約】【課題】  使用中に不快な振動を与えることがなく、細かな研磨作業もできる歯科用研磨具と、その製造方法を提供する。【解決手段】  シャンク１３の細径になった先端部１３ａを砥石１１に形成された穴１２内に挿入し、接着剤１５で固定する歯科用研磨具１０において、砥石１１の穴１２内とシャンク１３の先端部１３ａの接合面との一部に接着剤１５を塗布し、シャンク１３の先端部１３ａを砥石１１の穴１２内に挿入してシャンク１３と砥石１１との間に相対的な回動を付与し、前記接着剤の一部を前記穴からはみ出させてリング状の接着剤層１５ａを形成する。接着剤１５内に空洞ｃができていないことをリング状の接着剤層１５ａができることで確認できる。空洞ｃができないので、アンバランスが生じず、高速回転でも振動することがなく、細かな研磨もやり易く、使い勝手がよい。【選択図】      図１
2005073867.tif 000002
【特許請求の範囲】
【請求項１】
砥石に形成された穴とその穴に挿入されたシャンクとを接着剤で固着した歯科用研磨具において、シャンクの先端部を砥石の穴内に挿入中及び／又は挿入後にシャンクと砥石との間に相対的な回動を付与することで、前記砥石の穴端面のシャンク周辺に接着剤の一部がはみ出てリング状の接着剤部を形成したことを特徴とする歯科用研磨具。
【請求項２】
シャンクの先端部を砥石に形成された穴内に挿入し、接着剤で固定する歯科用研磨具の製造方法において、砥石の穴内とシャンクの接合面との少なくとも一部に接着剤を塗布する工程と、前記シャンクを砥石の穴内に挿入中及び／又は挿入後にシャンクと砥石との間に相対的な回動を付与し前記接着剤の一部がリング状にはみ出ている状態にする工程と、を有することを特徴とする歯科用研磨具の製造方法。
ページ(6)
【発明の詳細な説明】
【技術分野】
【０００１】
本発明は、口腔内の歯の研削や、歯に充填する充填物あるいは補綴物の研削・研磨に使用する歯科用研磨具に関する。
【背景技術】
【０００２】
虫歯の治療においては、通常、う触（虫歯）個所を削り、詰め物を詰めやすくするように空洞を形成する。このような空洞を形成することを窩洞形成（かどうけいせい）という。窩洞が形成されると、この窩洞に金属や硬質樹脂などで形成された充填物を詰めることになる。
【０００３】
う触が進行した歯などのように、口腔内の歯や周囲組織に欠損が生じた場合には、金属を被せるなどして、失われた形態、機能、審美性を回復させる。この被せる金属などの欠損部を補うものを補綴物（ほてつぶつ）という。
【０００４】
前記の窩洞形成や、充填物或いは補綴物の研磨に、歯科用研磨具が使用される。この歯科用研磨具は、回転軸としてのシャンクの先端に、砥石を固定したものである。砥石は、炭化珪素（カーボランダム）の砥粒や酸化アルミニウム（アルミナ）の砥粒を所定の形状に加圧成型し、高温で焼結して作られる。砥石には、その一端から回転軸方向に穴が穿設されており、この穴にシャンクを挿入し、接着剤で固定する。シャンクが取り付けられた砥石をここでは歯科用研磨具ということにするが、この歯科用研磨具を歯科用ハンドピースに取り付け、エアタービン方式やマイクロモータ方式によって高速回転させて使用することになる。
【０００５】
しかし、このような歯科用研磨具は、その硬度が非常に高いので、患者の口腔内で使用しているとき、充填物や補綴物だけでなく、これらの修復物に隣接している天然歯まで一緒に研削してしまうという不都合があった。
【０００６】
そこで、特許文献１では、砥石の硬度を下げることを提案している。硬度を下げることで、歯科修復物の中で軟らかい材料、たとえば、コンポジットレジンや銀アマルガムから硬い材料である陶材までの微調整研磨が可能で、しかも、天然歯を大きく損傷することを防止することができるようになる。
【０００７】
図５は、前記特許文献１に記載された歯科用研磨具１０における砥石とシャンクとの結合構造を示す図で、（ａ）は断面図、（ｂ）は（ａ）のＶ−Ｖ断面図である。砥石１１は、先端が閉じた有底の円筒形で、回転軸方向に穴１２が穿設され、この穴１２にシャンク１３を差し込む。シャンク１３としては、錆の問題の少ないステンレス鋼を使用し、穴１２に差し込む先端部１３ａは細径になっている。
【０００８】
砥石１１とシャンク１３とを固定する接着剤１５としては、エポキシ系接着剤や溶融金属を用いている。これらの接着剤１５は粘性のある流動状で、これをシャンク１３の細径の先端部１３ａに塗布して砥石１１の穴１２内に差し込むことで接着していた。接着剤１５は、先端部１３ａと、砥石１１の穴１２の内壁との間の空間Ｓに充填される。
【０００９】
しかしながら、前記従来の接着方法では、接着剤１５の粘性が強く、シャンク１３の先端部と穴１２との間の空間Ｓには、図５（ｂ）に示すように、接着剤の充填されていない空洞ｃができやすかった。これらの空洞ｃは、図５（ａ）に示す空間Ｓ内にも点在することになる。
【００１０】
一方、砥石１１は非常に高速で回転しており、接着剤１５のない空洞ｃがあると、その部分が軽くなるので、回転中に動的なアンバランスが生じ、術者に不快な振動を与え、細かな研磨作業ができなくなるといった問題があった。
【００１１】
【特許文献１】特開平９−１１７４５９号  段落０００３、０００６、００１１、図１、図２
【発明の開示】
【発明が解決しようとする課題】
【００１２】
本発明は、このような事情から考えられたもので、使用中に不快な振動を与えることがなく、細かな研磨作業も正確にできる歯科用研磨具とその製造方法を提供することを目的とするものである。
【課題を解決するための手段】
【００１３】
前記の目的を達成するために本願の第１の発明は、砥石に形成された穴とその穴に挿入されたシャンクとを接着剤で固着した歯科用研磨具において、シャンクの先端部を砥石の穴内に挿入中及び／又は挿入後にシャンクと砥石との間に相対的な回動を付与することで、前記砥石の穴端面のシャンク周辺に接着剤の一部がはみ出てリング状の接着剤部を形成したことを特徴としている。
【００１４】
本願の第２の発明は、シャンクの先端部を砥石に形成された穴内に挿入し、接着剤で固定する歯科用研磨具の製造方法において、砥石の穴内とシャンクの接合面との少なくとも一部に接着剤を塗布する工程と、前記シャンクを砥石の穴内に挿入中及び／又は挿入後にシャンクと砥石との間に相対的な回動を付与し前記接着剤の一部がリング状にはみ出ている状態にする工程と、を有することを特徴としている。
【００１５】
砥石に形成された穴と、この穴内に挿入されたシャンクの先端部との間の隙間にある接着剤で、シャンクと砥石とを接着固定するのであるが、接着剤の充填されない空洞部分ができると、高速回転した場合、振動を起こす。
【００１６】
砥石の穴内と、シャンクの先端部との少なくとも片方に接着剤を塗布し、砥石とシャンクの先端部との間に回動を与えながら挿入すると、接着剤は空洞を作ることなく隙間を充填することができる。そして、余剰の接着剤が穴の入口端面にリング状の接着剤部を形成するのを目で見て、空洞ができなかったことを確認することができる。
【００１７】
空洞ができなければ、アンバランスの問題は殆ど解消し、高速回転でも振動することがない。
【発明の効果】
【００１８】
本発明によれば、歯科用研磨具の製造において、砥石とシャンクとの間に、空洞ができるのを防止することができ、高速回転中の動的アンバランスによる振動を抑え、細かな研磨作業ができ、使い心地のよい優れた歯科用研磨具を得ることができる。
【発明を実施するための最良の形態】
【００１９】
以下、本発明の実施の形態を添付図面を参照して説明する。
図１〜図４は本発明の歯科用研磨具を製造する方法を説明する図である。砥石１１は、従来例と同様にして形成されたもので、回転軸に沿って延びる穴１２を有する。この穴１２の内壁に接着剤１５を塗布する。この塗布方法は、たとえば、穴１２の径より細い棒（図示せず）の先に接着剤１５を付着させ、この棒を穴１２内に挿入することによって行うことができる。また、穴１２の内壁全体に塗布する必要はなく、途中まででもよい。また、別の方法として、穴１２の開口を上方に向け、開口から接着剤１５を流し込むようにしてもよい。
【００２０】
図１に示すように穴１２の内壁へ接着剤１５を塗布した後直ちにシャンク１３を挿入してもよいが、図２に示すように、シャンク１３の細径になった先端部１３ａにも適当な方法で接着剤１５を塗布してもよい。この塗布も、先端部１３ａの全体にする必要はなく、先端から１／２程度でよい。
【００２１】
図１、図２に示すように、砥石１１とシャンク１３の双方に接着剤１５を塗布したら、図２に示す細径の先端部１３ａに接着剤１５の付いたシャンク１３を穴１２に挿入する。このとき砥石１１とシャンク１３との間に、図示のように左右方向の相対的な回動を与えながら、押し込む。これによって、穴１２の入口側にある接着剤１５は、先端部１３ａの先端面に押されて穴１２の奥へと移動する。移動した後の空間には先端部１３ａに付着した接着剤１５が充填される。先端部１３ａと穴１２との間には、相対的な左右方向の回動が与えられているので、接着剤１５は空間Ｓ内全体に行き渡り、空洞ｃを形成することがない。また、穴１２内に塗布された接着剤１５とシャンク１３の先端部１３ａに塗布された接着剤１５の合計は、空間Ｓの体積より若干多くなっているので、穴１２の入口から余剰分の接着剤１５がはみ出て、図３、図４に示すようなリング状の接着剤部１５ａを形成する。
【００２２】
なお、シャンク１３を穴１２に挿入する際、砥石１１とシャンク１３との間に相対的な回動を与えるが、この場合、奥まで挿入してから相対的な回動を与えてもよいし、相対的な回動を与えながら奥まで挿入し、さらに回動を与えるということでもよい。回動方向は、左右いずれかの一方向のみでもよく双方向でもよい。
【００２３】
もし、空間Ｓ内に空洞ｃが形成されていると、前記の接着剤のはみ出しは生じない。したがって、このリング状の接着剤部１５ａが形成されるのを目視により確認することによって、空洞ｃのないことを確認することができる。
【００２４】
なお、穴１２内に塗布される接着剤１５の量とシャンク１３の先端部１３ａに塗布される接着剤１５の量は、適当な大きさのリング状の接着剤部１５ａができるように、試行錯誤的方法により決められることになる。また、接着剤１５の種類としては、硬度が高く、熱膨張の少ないフェノール系接着剤を使用することが好ましい。
【００２５】
空洞ｃが形成されなければ、動的なアンバランスの問題もほぼ解消し、振動のない歯科用研磨具を得ることができる。
【図面の簡単な説明】
【００２６】
【図１】砥石の断面図である。
【図２】シャンクの先端部の図である。
【図３】砥石にシャンクを挿入した状態を示す断面図である。
【図４】図３のIV−IV断面図である。
【図５】従来の砥石とシャンクとの結合構造を示す図で、（ａ）は断面図、（ｂ）は（ａ）のＶ−Ｖ断面図である。
【符号の説明】
【００２７】
１０  歯科用研磨具
１１  砥石
１２  穴
１３  シャンク
１３ａ  先端部
１５  接着剤
１５ａ  リング状の接着剤部
ｃ    空洞
Ｓ    空間
【図１】
2005073867.tif 000003
【図２】
2005073867.tif 000004
【図３】
2005073867.tif 000005
【図４】
2005073867.tif 000006
【図５】
2005073867.tif 000007